(57)【要約】【課題】  ロール製品を傷つけることなく、構造が簡易で余分なスペースを有しない外装材に収容することのできるロール製品の梱包方法を提供する。【解決手段】  中空状のコア２１に可撓性を有するフィルムまたはシートを巻きつけてなるロール製品２０に対して、ロール製品２０の断面積よりも大きい略板状の支持板１１と、その中心部に設けられた略筒状の保持軸１２と、支持板１１の保持軸１２と同じ側の表面に設けられた突起１３と、を備える保持部材１０を一対用いて、それぞれの保持軸１２をコア２１の両側の中空部分（空洞）２２に挿入した後、突起１３に吊下げ具１５を固定し、ロール製品２０を吊り上げて外装材に収容する。【効果】  ロール製品を宙吊りに保持した状態で外装材に収容することができ、梱包に際して、汎用かつ構造が簡易で、余分なスペースが省かれた外装材を使用することができ、外装材に要するコストの低減を図ることができる。【選択図】  図２
2006124021.tif 000002
【特許請求の範囲】
【請求項１】
中空状のコアに可撓性を有するフィルムまたはシートを巻きつけてなるロール製品を外装材で梱包する方法であって、
上記ロール製品の断面積よりも大きい略板状の支持板と、その中心部に設けられた略筒状の保持軸と、支持板の保持軸と同じ側の表面に設けられた突起と、を備える保持部材を一対用いて、それぞれの保持軸を上記コアの両側の中空部分に挿入した後、
上記突起に吊下げ具を固定し、ロール製品を吊り上げて外装材に収容することを特徴とするロール製品の梱包方法。
【発明の詳細な説明】
【技術分野】
【０００１】
本発明は、ロール製品を宙吊り状態で外装材に収容・梱包する方法に関する。
【背景技術】
【０００２】
アクリル、ポリエチレン、ポリプロピレン、ナイロン、ＰＶＡ等の、種々の樹脂フィルムまたは薄物シート、または偏光フィルム、ロールペーパーといった製品は、一般に、紙製の管（紙管）または塩化ビニル製の管（塩ビ管）をコアとし、これに巻きつけたロール製品として、出荷されている（特許文献１）。
これらのロール製品を出荷する際には、製品に傷がつくのを防止するために、ダンボール箱等の外装材に収容し、梱包することが求められており、さらにロールの自重によって製品に負荷がかかるのを防止するために、外装材中にてロール製品が宙吊り状態となるように収容・梱包することが求められている。
【特許文献１】特開平７−１７９６７９号公報（段落［００２０］）
【発明の開示】
【発明が解決しようとする課題】
【０００３】
ロール製品を宙吊り状態で保持するには、例えばロール製品の断面積よりも大きい支持板と、その中心部に設けられたコアに挿入可能な保持軸と、を備える宙吊り用の部材を使用する方法が挙げられる。また、宙吊り状態で保持されたロール製品を外装材に収容するには、樹脂フィルム等のロール製品が人力では持ち運びできない程度の重量物であることから、当該ロール製品をフォークリフトやクレーン等で吊り上げて移動するといった操作が必要になる。
【０００４】
ロール製品を吊下げる方法としては、例えば、ロール製品８０のコア８１と、上記宙吊り用部材８２の保持軸８３とに空洞８４ａ，８４ｂを連通させておき、この空洞８４に挿入したシャフト８５を用いてロール製品８０を吊り上げる方法がある（図３）。しかしながら、この場合には、シャフト８５に吊り具８６を取り付けるべく、宙吊り用部材８２からシャフト８５をはみ出させる必要があり、それゆえ、ダンボール箱等の外装材８７にシャフト８５が引っかかるという問題が生じる（図４）。そこで、外装材の側面にシャフトに応じた切り欠き部を設ける方法や、シャフト８５が引っかかることのない深さの容器８８と、上蓋８９との一組の外装材を用いて、シャフトを取り去ってから上蓋８９を被せる方法（図５）もあるが、いずれも外装材が特殊なものとなってコストが高くつくという問題がある。また、ロール製品８０自体に帯体（スリング）９０を引っ掛けて吊り上げる方法（図６）も考えられるものの、この場合には、ロール製品８０に部分的な負荷がかかっ      て、損傷を与えるおそれがある。
【０００５】
そこで、本発明の目的は、ロール製品を傷つけることなく、構造が簡易で余分なスペースを有しない外装材に収容することのできるロール製品の梱包方法を提供することである。
【課題を解決するための手段】
【０００６】
上記目的を達成するための本発明に係るロール製品の梱包方法は、
中空状のコアに可撓性を有するフィルムまたはシートを巻きつけてなるロール製品を外装材で梱包する方法であって、
上記ロール製品の断面積よりも大きい略板状の支持板と、その中心部に設けられた略筒状の保持軸と、支持板の保持軸と同じ側の表面に設けられた突起と、を備える保持部材を一対用いて、それぞれの保持軸を上記コアの両側の中空部分に挿入した後、
上記突起に吊下げ具を固定し、ロール製品を吊り上げて外装材に収容することを特徴とする。
【０００７】
本発明に係るロール製品の梱包方法によれば、ロール製品を宙吊りに保持した状態で外装材に収容し、梱包することができることから、ロール製品を傷つけることなく、出荷・搬送することができる。
また、ロール製品を外装材に収容・梱包するのに際して、保持部材やロール製品のコアに長尺のシャフトを挿入する必要がなく、しかも、吊下げ具は支持板の内側の突起に（すなわち、支持板とロール本体との間に）取り付けることができることから、保持部材の外部に余分な作業スペースを設けることなく、外装材への収容・梱包作業を実行することができる。さらに、ロール本体に帯体を取り付けなくても、ロール製品を吊下げることができる。
【０００８】
従って、本発明によれば、ロール製品を傷つけることがなく、かつ特別な形状や余分なスペースを有する外装材を必要とせず、汎用のかつ簡易な構造のダンボール箱等を使用してロール製品を収容・梱包することができる。それゆえ、外装材に要するコストを低減することができる。
【発明を実施するための最良の形態】
【０００９】
以下、本発明の実施の形態を、添付図面を参照して詳細に説明する。
本発明において、中空状のコアに可撓性を有するフィルムまたはシートを巻きつけてなるロール製品を宙吊り状態で保持するための保持部材には、例えば図１（ａ）に示すように、ロール製品２０の断面積よりも大きい略板状の支持板１１と、その中心部に設けられた略筒状の保持軸１２と、支持板の保持軸１２と同じ側の表面に設けられた突起１３と、を備えるものが用いられる。
【００１０】
図１に示す保持部材１０において、支持板１１には、ロール製品２０の断面積よりも大きく、それゆえ、その中央部に設けられている保持軸１２をロール製品のコア２１の空洞２２に挿入して保持部材を立設したときに、ロール製品のロール本体２０ａが支持板１１からはみ出すことのないもの（すなわち、ロール本体２０ａが床面と接触したりすることのないもの）が用いられている。
【００１１】
保持軸１２は、ロール製品のコア２１の空洞２２に挿入され得るものであるほかは特に限定されるものではないが、一対の保持部材１０でロール製品２０を保持し得るように、その太さ、長さおよび強度を適宜設定する必要がある。
突起１３は、支持板１１の保持軸１２と同じ側の表面に設けられている。この突起１３は、少なくとも支持板１１の上辺側に所定の間隔を空けて２つ設けられているのが好ましい。突起１３を２ヶ所有することによって、吊り具でぶら下げる際の安定性が向上する。
【００１２】
図１に示す保持部材１０では、支持板１１の上辺の端部に突起１３を２ヶ所有しているほか、さらに下辺の端部にも突起１３を２ヶ所有している。下辺に突起を設けることによって、保持部材１０をロール製品２０に取り付けて自立させた際の安定性を向上させることができる。
ロール製品２０のコア２１の空洞２２に、その両側から保持部材１０の保持軸１２を挿入した後（図１（ｂ）参照）、保持部材１０のコアに吊下げ具１５を設置することによって、ロール製品２０が吊り上げ可能となる（図２（ａ）参照）。
【００１３】
吊下げ具１５は、図２（ｂ）に示すように、突起１３にリング１６を嵌め合わせるだけでなく、当該リング１６から支持板１１の保持軸１２を備える面とは逆の面（以下、裏面という。）にフック１７を架設するのが好ましい。フック１７を架設することによって、突起１３に取り付けた吊下げ具１５が突起１３から外れるのを確実に防止することができる。
【００１４】
本発明は、以上の記載に限定されるものではなく、特許請求の範囲に記載した事項の範囲において、種々の設計変更を施すことが可能である。
【図面の簡単な説明】
【００１５】
【図１】本発明の梱包方法に用いられる保持部材でロール製品を宙吊り状態に保持した例を示す図であって、（ａ）はその分解斜視図、（ｂ）はその正面図である。
【図２】図１に示すロール製品を外装材に収容する状態を示す図であって、（ａ）はその正面図、（ｂ）はその要部拡大斜視図である。
【図３】（ａ）は、ロール製品に宙吊り用部材を取り付ける状態を示す分解斜視図であり、（ｂ）はロール製品に宙吊り用部材を取り付けて、さらにシャフトを挿入した状態を示す正面図である。
【図４】ロール製品を、そのコアと宙吊り用部材とに挿入したシャフトを用いて吊り上げた状態を示す正面図である。
【図５】容器と上蓋とからなる外装材にロール製品を収容する状態を示す正面図である。
【図６】スリング吊りによって外装材にロール製品を収容する状態を示す正面図である。
【符号の説明】
【００１６】
１０  保持部材
１１  支持板
１２  保持軸
１３  突起
１５  吊下げ具
２０  ロール製品
２０ａ  ロール本体
２１  コア
２２  空洞（中空部分）
【図１】
2006124021.tif 000003
【図２】
2006124021.tif 000004
【図３】
2006124021.tif 000005
【図４】
2006124021.tif 000006
【図５】
2006124021.tif 000007
【図６】
2006124021.tif 000008